(57)【要約】【課題】待機状態である場合に、制御部の全ての機能を停止してしまうのを防止しながら、省電力化を図ることが可能な電子機器を提供する。【解決手段】このＴＶ３（電子機器）は、交流電源からＡＣ−ＤＣコンバータ３２ａを介して直流電力を受給する制御部３７と、直流電力を受給することが可能な状態でＢＤプレーヤ２に接続される接続部３１とを備え、制御部３７は、待機状態である場合に、接続部３１を介してＢＤプレーヤ２から直流電力を受給している場合には、交流電源からＡＣ−ＤＣコンバータ３２ａを介して制御部３７が受給する直流電力の受給を停止する制御を行うように構成されている。【選択図】図１
2014021598.tif 000002
【特許請求の範囲】
【請求項１】
交流電源から交流−直流変換部を介して直流電力を受給する制御部と、
直流電力を受給することが可能な状態で外部機器に接続される接続部とを備え、
前記制御部は、待機状態である場合に、前記接続部を介して前記外部機器から直流電力を受給している場合には、前記交流電源から前記交流−直流変換部を介して前記制御部が受給する直流電力の受給を停止する制御を行うように構成されている、電子機器。
【請求項２】
前記制御部は、待機状態である場合に、前記外部機器からの直流電力の受給が停止された際には、前記交流電源から前記交流−直流変換部を介して前記制御部が受給する直流電力の受給を再開する制御を行うように構成されている、請求項１に記載の電子機器。
【請求項３】
前記接続部を介して前記外部機器から受給した直流電力を蓄電可能な蓄電部をさらに備え、
前記制御部は、待機状態である場合に、前記外部機器からの直流電力の受給が停止された後、前記交流電源から前記交流−直流変換部を介して前記制御部が受給する直流電力の受給を再開するまでの間に、前記蓄電部に蓄積された電力により動作が継続されるように構成されている、請求項２に記載の電子機器。
【請求項４】
前記交流電源と前記交流−直流変換部との間に設けられ、前記交流電源から前記交流−直流変換部を介して前記制御部が受給する直流電力の受給経路の遮断または接続を切り替える切替スイッチをさらに備え、
前記制御部は、前記外部機器からの直流電力を受給している場合には、前記交流電源から前記交流−直流変換部を介して前記制御部が受給する直流電力の受給経路を遮断するように前記切替スイッチを切り替える制御を行うように構成されている、請求項１〜３のいずれか1項に記載の電子機器。
【請求項５】
前記交流電源から前記交流−直流変換部を介して電力を受給するとともに、リモコンからの信号を受信可能な信号受信部をさらに備え、
前記制御部は、待機状態である場合に、前記接続部を介して前記外部機器から前記信号受信部が直流電力を受給している場合には、前記交流電源から前記交流−直流変換部を介して前記信号受信部が受給する直流電力の受給を停止する制御を行うように構成されている、請求項１〜４のいずれか１項に記載の電子機器。
【請求項６】
前記交流電源と前記制御部との間に設けられ、電圧を変圧する変圧部をさらに備え、
前記制御部は、待機状態である場合に、前記接続部を介して前記外部機器から直流電力を受給している場合には、前記交流電源から前記変圧部を介して前記制御部が受給する直流電力の受給を停止する制御を行うように構成されている、請求項１〜５のいずれか１項に記載の電子機器。
【請求項７】
前記外部機器に接続可能な接続部は、音声データ、映像データ、制御信号および電力を伝送可能な所定のケーブルにより接続して、前記制御信号により機器間で相互に制御することが可能なインターフェース規格に準拠するように構成されている、請求項１〜６のいずれか１項に記載の電子機器。
【請求項８】
外部機器が直流電力の受給を行うことが可能な第１接続部を備えた録画装置と、
表示部と、交流電源から交流−直流変換部を介して直流電力を受給する制御部と、直流電力を受給することが可能な状態で前記録画装置の前記第１接続部に接続される第２接続部とを含む表示装置とを備え、
前記表示装置の前記制御部は、待機状態である場合に、前記第２接続部を介して前記録画装置から直流電力を受給している場合には、前記交流電源から前記交流−直流変換部を介して前記制御部が受給する直流電力の受給を停止する制御を行うように構成されている、映像システム。
【発明の詳細な説明】
【技術分野】
【０００１】
この発明は、電子機器および映像システムに関し、特に、交流電源から交流−直流変換部を介して直流電力を受給する制御部を備える電子機器および映像システムに関する。
【背景技術】
【０００２】
従来、交流電源から交流−直流変換部を介して直流電力を受給する制御部を備える電子機器が知られている（たとえば、特許文献１参照）。
【０００３】
上記特許文献１には、商用電源（交流電源）から電力を受給する主電源回路（交流−直流変換部）を介して電力を受給する機器用回路（制御部）と、ホストコンピュータ（外部機器）から電力を受給する通信制御部とを備えた電子機器が開示されている。この電子機器は、通信制御部により、商用電源と主電源回路との間に設けられたリレー回路を制御することによって、商用電源から主電源回路を介して機器用回路が受給する電力の停止および受給（再開）を切り替え可能に構成されている。そして、この電子機器では、待機状態である場合に、商用電源から主電源回路を介して機器用回路が受給する電力の受給を停止して主電源回路および機器用基板における電力消費を抑制している。
【先行技術文献】
【特許文献】
【０００４】
【特許文献１】特開平１１−８９１１６号公報
【発明の概要】
【発明が解決しようとする課題】
【０００５】
しかしながら、上記特許文献１の電子機器では、待機状態である場合に、主電源回路および機器用基板における電力消費を抑制して省電力化を図ることが可能である一方、機器用回路（制御部）が受給する電力が遮断されてしまうので、機器用回路の全ての機能が停止してしまうという問題点がある。
【０００６】
この発明は、上記のような課題を解決するためになされたものであり、この発明の１つの目的は、待機状態である場合に、制御部の全ての機能が停止してしまうのを防止しながら、省電力化を図ることが可能な電子機器および映像システムを提供することである。
【課題を解決するための手段】
【０００７】
この発明の第１の局面による電子機器は、交流電源から交流−直流変換部を介して直流電力を受給する制御部と、直流電力を受給することが可能な状態で外部機器に接続される接続部とを備え、制御部は、待機状態である場合に、接続部を介して外部機器から直流電力を受給している場合には、交流電源から交流−直流変換部を介して制御部が受給する直流電力の受給を停止する制御を行うように構成されている。
【０００８】
この第１の局面による電子機器では、上記のように、待機状態である場合に、接続部を介して外部機器から直流電力を受給している場合には、交流電源から交流−直流変換部を介して制御部が受給する直流電力の受給を停止する制御を行うように制御部を構成することによって、待機状態である場合において、制御部が接続部を介して外部機器から直流電力を受給している場合には、交流電源から制御部が受給する電力を停止して交流−直流変換部における電力変換損失分だけ電力消費を減少させることができる。これにより、待機状態である場合に、制御部の全ての機能が停止してしまうのを防止しながら、省電力化を図ることができる。その結果、たとえば、待機状態である場合に、制御部による時計機能を維持させたまま、省電力化を図ることができる。
【０００９】
上記第１の局面による電子機器において、好ましくは、制御部は、待機状態である場合に、外部機器からの直流電力の受給が停止された際には、交流電源から交流−直流変換部を介して制御部が受給する直流電力の受給を再開する制御を行うように構成されている。このように構成すれば、外部機器からの直流電力の受給が停止された際にも、制御部が交流電源から交流−直流変換部を介して直流電力を受給することができるので、制御部の全ての機能が停止してしまうのを確実に防止することができる。
【００１０】
この場合、好ましくは、接続部を介して外部機器から受給した直流電力を蓄電可能な蓄電部をさらに備え、制御部は、待機状態である場合に、外部機器からの直流電力の受給が停止された後、交流電源から交流−直流変換部を介して制御部が受給する直流電力の受給を再開するまでの間に、蓄電部に蓄積された電力により動作が継続されるように構成されている。このように構成すれば、待機状態である場合に、外部機器からの直流電力の受給が停止した後、交流電源から交流−直流変換部を介して制御部が受給する直流電力の受給を再開するまでにタイムラグが生じる場合でも、蓄電部の電力を用いて制御部が電力受給するのを維持することができる。
【００１１】
上記第１の局面による電子機器において、好ましくは、交流電源と交流−直流変換部との間に設けられ、交流電源から交流−直流変換部を介して制御部が受給する直流電力の受給経路の遮断または接続を切り替える切替スイッチをさらに備え、制御部は、外部機器からの直流電力を受給している場合には、交流電源から交流−直流変換部を介して制御部が受給する直流電力の受給経路を遮断するように切替スイッチを切り替える制御を行うように構成されている。このように構成すれば、容易に、切替スイッチにより、外部機器からの直流電力の受給と、交流電源からの電力の受給とを切り替えることができる。
【００１２】
上記第１の局面による電子機器において、好ましくは、交流電源から交流−直流変換部を介して電力を受給するとともに、リモコンからの信号を受信可能な信号受信部をさらに備え、制御部は、待機状態である場合に、接続部を介して外部機器から信号受信部が直流電力を受給している場合には、交流電源から交流−直流変換部を介して信号受信部が受給する直流電力の受給を停止する制御を行うように構成されている。このように構成すれば、待機状態である場合において、制御部のみならず、信号受信部も外部機器から直流電力を受給することができるので、待機状態における制御部および信号受信部が電力受給するのを確保しながら、交流−直流変換部における電力変換損失分だけ電力消費を減少させて、省電力化を図ることができる。
【００１３】
上記第１の局面による電子機器において、好ましくは、交流電源と制御部との間に設けられ、電圧を変圧する変圧部をさらに備え、制御部は、待機状態である場合に、接続部を介して外部機器から直流電力を受給している場合には、交流電源から変圧部を介して制御部が受給する直流電力の受給を停止する制御を行うように構成されている。このように構成すれば、待機状態である場合において、制御部が接続部を介して外部機器から直流電力を受給している場合に、変圧部における電力変換損失分だけ容易に、省電力化を図ることができる。
【００１４】
上記第１の局面による電子機器において、好ましくは、外部機器に接続可能な接続部は、音声データ、映像データ、制御信号および電力を伝送可能な所定のケーブルにより接続して、制御信号により機器間で相互に制御することが可能なインターフェース規格に準拠するように構成されている。このように構成すれば、制御信号により機器間で相互に制御することが可能なインターフェース規格に準拠する接続部に音声データ、映像データ、制御信号および電力を伝送可能な所定のケーブルを接続するだけで、容易に、外部機器から直流電力を制御部が受給することができる。
【００１５】
この第２の局面による映像システムは、外部機器が直流電力の受給を行うことが可能な第１接続部を備えた録画装置と、表示部と、交流電源から交流−直流変換部を介して直流電力を受給する制御部と、直流電力を受給することが可能な状態で録画装置の第１接続部に接続される第２接続部とを含む表示装置とを備え、表示装置の制御部は、待機状態である場合に、第２接続部を介して録画装置から直流電力を受給している場合には、交流電源から交流−直流変換部を介して制御部が受給する直流電力の受給を停止する制御を行うように構成されている。
【００１６】
この第２の局面による映像システムでは、上記のように、待機状態である場合に、第２接続部を介して録画装置から直流電力を受給している場合には、交流電源から交流−直流変換部を介して制御部が受給する直流電力の受給を停止する制御を行うように表示装置の制御部を構成することによって、表示装置が待機状態である場合において、表示装置の制御部が第１接続部を介して録画装置から直流電力を受給している場合には、交流電源から表示装置の制御部が受給する電力を停止して交流−直流変換部における電力変換損失分だけ電力消費を減少させることができる。これにより、表示装置が待機状態である場合に、表示装置の制御部の全ての機能が停止してしまうのを防止しながら、映像システムの省電力化を図ることができる。その結果、たとえば、表示装置が待機状態である場合に、表示装置の制御部による時計機能を維持させたまま省電力化を図ることができる。
【発明の効果】
【００１７】
本発明によれば、上記のように、待機状態である場合に、制御部の全ての機能を停止してしまうのを防止しながら、省電力化を図ることができる。
【図面の簡単な説明】
【００１８】
【図１】本発明の一実施形態による映像システムの構成を示したブロック図である。
【図２】本発明の一実施形態による映像システムのＨＤＭＩケーブルの説明するための図である。
【図３】本発明の一実施形態による映像システムにおけるＴＶのＴＶ（電源ＯＮ）-ＢＤプレーヤ（電源ＯＮ）状態からの電源回路部ＯＦＦ処理を説明するためのフローチャートである。
【図４】本発明の一実施形態による映像システムにおけるＴＶのＴＶ（待機状態）-ＢＤプレーヤ（待機状態）状態からの電源回路部ＯＦＦ処理を説明するためのフローチャートである。
【図５】本発明の一実施形態による映像システムにおけるＴＶの電源回路部ＯＮ処理を説明するためのフローチャートである。
【発明を実施するための形態】
【００１９】
以下、図１および図２を参照して、本発明の一実施形態による映像システム１００の構成について説明する。
【００２０】
本発明の一実施形態による映像システム１００は、図１に示すように、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブル１を介して接続されるブルーレイディスクプレーヤ（ＢＤプレーヤ）２と、テレビジョン装置（ＴＶ）３とを備える。なお、ＨＤＭＩケーブル１は、本発明の「所定のケーブル」の一例である。また、ＢＤプレーヤ２は、本発明の「外部機器」および「録画装置」の一例である。また、ＴＶ３は、本発明の「電子機器」および「表示装置」の一例である。
【００２１】
ＨＤＭＩケーブル１は、図２に示すように、主に、音声データおよび映像データを伝送可能な複数のＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ライン１１と、５Ｖ直流電力をＢＤプレーヤ２からＴＶ３の一方向に伝送可能な５Ｖライン（電源供給（受給）ライン）１２と、ＴＶ３に対応する信号をＢＤプレーヤ２が伝送可能なＢＤプレーヤ２の設定を行うためのＨＰＤ（Ｈｏｔ  Ｐｌｕｇ  Ｄｅｔｅｃｔ）ライン１３と、制御信号を双方向に伝送可能なＣＥＣ（Ｃｏｎｓｕｍｅｒ  Ｅｌｅｃｔｒｏｎｉｃｓ  Ｃｏｎｔｒｏｌ）ライン１４とを含む。ＴＶ３は、ＴＶ３およびＢＤプレーヤ２が接続された際に、ＢＤプレーヤ２から５Ｖライン１２を介して５Ｖの電力を受給するとＨＰＤライン１３をアクティブな状態にする。そして、ＴＶ３に対応する信号をＢＤプレーヤ２が伝送可能なようにＢＤプレーヤ２の設定が行われる。
【００２２】
また、ＢＤプレーヤ２は、図１に示すように、主に、ＨＤＭＩ規格に準拠した接続部２１と、交流電力を直流電力に変換する機能および電圧を変圧する機能を有する電源回路部２２と、電力の受給経路の遮断または接続を切り替えるスイッチ２３と、ＢＤプレーヤ２全体の制御を行う制御部２４とを備えている。なお、接続部２１は、本発明の「第１接続部」の一例である。また、ＨＤＭＩ規格は、本発明の「インターフェース規格」の一例である。
【００２３】
接続部２１には、図１に示すように、ＨＤＭＩケーブル１の一端が接続される。また、接続部２１は、ＨＤＭＩケーブル１を介して、ＴＶ３に直流電力の供給を行うことが可能なように構成されている。すなわち、接続部２１は、ＨＤＭＩケーブル１を介して、ＴＶ３が直流電力を受給することが可能なように構成されている。
【００２４】
電源回路部２２は、交流電力を直流電力に変換（整流）するＡＣ−ＤＣ（ａｌｔｅｒｎａｔｉｎｇ  ｃｕｒｒｅｎｔ−Ｄｉｒｅｃｔ  Ｃｕｒｒｅｎｔ）コンバータ２２ａおよび直流電圧を変圧するＤＣ−ＤＣ（Ｄｉｒｅｃｔ  Ｃｕｒｒｅｎｔ−Ｄｉｒｅｃｔ  Ｃｕｒｒｅｎｔ）コンバータ２２ｂを含む。コンセントから電源回路部２２に入った交流電力は、ＡＣ−ＤＣコンバータ２２ａにより交流電力から直流電力に変換される。そして、ＡＣ−ＤＣコンバータ２２ａにより変換された直流電力は、ＤＣ−ＤＣコンバータ２２ｂにより所定の直流電圧に変圧される。
【００２５】
スイッチ２３は、図１に示すように、接続部２１と電源回路部２２との間に設けられている。また、電源回路部２２を切り替えることにより、ＢＤプレーヤ２からＴＶ３への直流電力の受給経路が遮断または接続される。また、スイッチ２３の遮断または接続の切り替えは、制御部２４により行われるように構成されている。また、スイッチ２３には、ＦＥＴ（Ｆｉｅｌｄ  ｅｆｆｅｃｔ  ｔｒａｎｓｉｓｔｏｒ）スイッチやリレー回路などを用いることができる。
【００２６】
制御部２４は、ＢＤプレーヤ２が電源ＯＮ状態の際に、電源回路部２２と接続部２１との間の直流電力の受給経路を接続するようにスイッチ２３を切り替える制御を行うように構成されている。また、制御部２４は、ＢＤプレーヤ２が待機状態または電源ＯＦＦ状態の際に、電源回路部２２と接続部２１との間の直流電力の受給経路を切断するようにスイッチ２３を切り替える制御を行うように構成されている。
【００２７】
ここで、本実施形態では、ＴＶ３は、図１に示すように、ＨＤＭＩ規格に対応した接続部３１と、交流電力を直流電力に変換する機能および電圧を変圧する機能を有する電源回路部３２と、電力の受給経路の遮断または接続を切り替えるスイッチ３３とを備えている。また、ＴＶ３は、電荷を蓄積可能な電解コンデンサ３４と、電流の逆流を防止するダイオード３５ａおよび３５ｂと、リモコン（図示せず）からの信号を受信するリモコンセンサ３６と、ＴＶ３本体を制御する制御部３７とを備えている。なお、接続部２１は、本発明の「第２接続部」の一例である。また、スイッチ３３は、本発明の「切替スイッチ」の一例である。また、電解コンデンサ３４は、本発明の「蓄電部」の一例である。また、リモコンセンサ３６は、本発明の「信号受信部」の一例である。
【００２８】
また、ＴＶ３は、電源ＯＮ状態、待機状態および電源ＯＦＦ状態の３つの状態に設定可能なように構成されている。電源ＯＮ状態は、ＴＶ３の全ての電子部品に電力が供給されている状態である。ＴＶ３は、たとえば、ユーザがＴＶ番組を視聴している際に電源ＯＮ状態に設定されるように構成されている。また、待機状態は、ＴＶ３の一部の電子部品に電力が供給されている状態である。具体的には、待機状態は、リモコンセンサ３６および制御部３７には電力が供給され、その他の電子部品には電力が供給されていない状態である。また、リモコンセンサ３６および制御部３７には電力が供給されることにより、待機状態であってもリモコンセンサ３６および制御部３７は機能することが可能である。また、電源ＯＦＦ状態は、ＴＶ３の全ての電子部品に電力が供給されていない状態である。
【００２９】
接続部３１には、図１に示すように、ＨＤＭＩケーブル１の他端が接続される。また、接続部３１は、直流電力を受給することが可能な状態でＢＤプレーヤ２に接続される。
【００３０】
電源回路部３２は、図１に示すように、交流電源と制御部３７との間に設けられている。また、電源回路部３２は、交流電力を直流電力に変換するＡＣ−ＤＣコンバータ３２ａおよび電圧を変圧するＤＣ−ＤＣコンバータ３２ｂを含む。コンセントから入った交流電力は、ＡＣ−ＤＣコンバータ３２ａにより交流電力から直流電力に変換される。そして、ＡＣ−ＤＣコンバータ３２ａにより変換された直流電力は、ＤＣ−ＤＣコンバータ３２ｂにより所定の電圧値に変圧される。詳細には、ＤＣ−ＤＣコンバータ３２ｂにより変圧される電圧値は、ＢＤプレーヤ２からＨＤＭＩケーブル１を介して受給する５Ｖの直流電力よりも大きい電圧値（たとえば、５．５Ｖ）である。また、ＴＶ３が待機状態である場合に、接続部３１を介してＢＤプレーヤ２から直流電流を受給していない場合には、ＡＣ−ＤＣコンバータ３２ａおよびＤＣ−ＤＣコンバータ３２ｂを介して、制御部３７およびリモコンセンサ３６のそれぞれが直流電力を受給するように構成されている。なお、ＡＣ−ＤＣコンバータ３２ａは、本発明の「交流−直流変換部」の一例である。また、ＤＣ−ＤＣコンバータ３２ｂは、本発明の「変圧部」の一例である。
【００３１】
スイッチ３３は、図１に示すように、交流電源と電源回路部３２のＡＣ−ＤＣコンバータ３２ａとの間に設けられている。スイッチ３３は、交流電源からＡＣ−ＤＣコンバータ３２ａを介して制御部３７が受給する直流電力の受給経路の遮断または接続を切り替えるように構成されている。また、スイッチ３３には、ＦＥＴスイッチやリレー回路などを用いることができる。
【００３２】
電解コンデンサ３４は、図１に示すように、接続部３１を介してＢＤプレーヤ２から受給した直流電力により電荷（電力）を蓄電可能に構成されている。また、電解コンデンサ３４の一端は、配線を介して制御部３７に接続されている。また、電解コンデンサ３４の他端は、接地されている。
【００３３】
ダイオード３５ａのアノード側は、図１に示すように、配線を介して接続部３１に接続されている。また、ダイオード３５ａのカソード側は、配線を介して制御部３７に接続されている。これにより、接続部３１側から制御部３７側に電流が流される。ダイオード３５ａには、ＴＶ３およびＢＤプレーヤ２を接続した際に５Ｖラインを介してＢＤプレーヤ２からＴＶ３に供給される５Ｖ電力（直流電力）が供給されている。
【００３４】
また、ダイオード３５ｂのアノード側は、図１に示すように、配線を介して電源回路部３２に接続されている。また、ダイオード３５ｂのカソード側は、配線を介して制御部３７に接続されている。これにより、電源回路部３２側から制御部３７側に電流が流される。また、電源回路部３２側から制御部３７側にダイオード３５ｂを介して供給される電流の電圧値は略５．５Ｖである。これにより、ダイオード３５ａおよびダイオード３５ｂの両方に電力が供給されている場合には、ダイオード３５ｂ側から流れてきた電流が優先的に制御部３７に供給される。なお、ＴＶ３の電源がＯＮ状態で、かつ、ＢＤプレーヤ２の電源がＯＮ状態の場合に、ダイオード３５ａおよびダイオード３５ｂに電力が供給される。
【００３５】
リモコンセンサ３６は、図１に示すように、リモコンの信号を受信可能に構成されている。リモコンセンサ３６は、配線を介して制御部３７に接続されている。また、リモコンセンサ３６は、リモコンから受信した信号を制御部３７に伝送するように構成されている。リモコンセンサ３６は、交流電源から電源回路部３２を介して直流電力が所定の電圧値に変圧された状態で直流電力を受給するように構成されている。また、電源回路部３２側からダイオード３５ｂを介してリモコンセンサ３６が受給する電流の電圧値は、略５．５Ｖである。また、リモコンセンサ３６は、接続部３１を介してＢＤプレーヤ２から直流電力を受給可能なように構成されている。また、接続部３１側からダイオード３５ａを介してリモコンセンサ３６が受給する電流の電圧値は、略５Ｖである。これにより、ダイオード３５ａおよびダイオード３５ｂの両方に電力が供給されている場合には、リモコンセンサ３６はダイオード３５ｂ側から流れてきた電流を優先的に受給する。なお、ＴＶ３の電源がＯＮ状態で、かつ、ＢＤプレーヤ２の電源がＯＮ状態の場合に、ダイオード３５ａおよびダイオード３５ｂに電力が供給される。また、リモコンセンサ３６は、電解コンデンサ３４に蓄電された電荷により動作可能に構成されている。また、リモコンセンサ３６には、ＩＣ（ｉｎｔｅｇｒａｔｅｄ  ｃｉｒｃｕｉｔ）などにより構成されるセンサを用いることができる。
【００３６】
制御部３７は、時計機能を有するように構成されている。また、制御部３７は、タイマー機能によりＴＶ３の時間に関する制御（たとえば、時間の表示や録画開始のトリガーなど）を行うように構成されている。また、制御部３７は、交流電源から電源回路部３２を介して所定の電圧値に変圧された状態で直流電流を受給するように構成されている。また、制御部３７は、ＨＤＭＩケーブル１を介してＢＤプレーヤ２から直流電力を受給するように構成されている。すなわち、制御部３７は、ＡＣ−ＤＣコンバータ３２ａおよびＤＣ−ＤＣコンバータ３２ｂを介して受給した直流電力、または、ＨＤＭＩケーブル１を介してＢＤプレーヤ２から受給した直流電力により動作可能に構成されている。また、制御部３７は、配線を介して接続部３１に接続されるポート３７ａを含む。制御部３７は、ＢＤプレーヤ２からＨＤＭＩケーブル１を介してＴＶ３に５Ｖ電力が供給された際にポート３７ａに電力が供給されたのを検出することにより、ＢＤプレーヤ２から電力を受給したと判断可能なように構成されている。
【００３７】
次に、ＴＶ３の待機状態時における制御部３７が行う制御について説明する。制御部３７は、接続部３１を介してＢＤプレーヤ２から直流電力を受給する場合には、交流電源から電源回路部３２を介して制御部３７が受給する直流電力の受給を停止する制御を行うように構成されている。この際に、制御部３７は、スイッチ３３を切り替える制御を行うことによって、交流電源から電源回路部３２を介して制御部３７が受給する直流電力の受給経路を遮断するように構成されている。また、制御部３７は、リモコンセンサ３６が接続部３１を介してＢＤプレーヤ２から直流電力を受給する場合には、交流電源から電源回路部３２を介してリモコンセンサ３６が受給する直流電力の受給を停止する制御を行うように構成されている。
【００３８】
また、制御部３７は、ＢＤプレーヤ２からの直流電力の受給が停止された際には、交流電源から電源回路部３２を介して制御部３７が受給する直流電力の受給を再開する制御を行うように構成されている。また、制御部３７は、ＢＤプレーヤ２からの直流電力の受給が停止された後、交流電源から電源回路部３２を介して制御部３７が受給する直流電力の受給を再開するまでの間（たとえば、１秒以内の時間）に、電解コンデンサ３４に蓄積された電力により動作が継続されるように構成されている。
【００３９】
また、制御部３７は、ＢＤプレーヤ２からの直流電力の受給が停止された際には、交流電源から電源回路部３２を介してリモコンセンサ３６が受給する直流電力の受給を再開する制御を行うように構成されている。また、制御部３７は、ＢＤプレーヤ２からの直流電力の受給が停止された後、交流電源から電源回路部３２を介してリモコンセンサ３６が受給する直流電力の受給を再開するまでの間（たとえば、１秒以内の時間）に、電解コンデンサ３４に蓄積された電力により動作が継続されるように構成されている。
【００４０】
次に、図３を参照して、本実施形態の映像システム１００におけるＴＶ３の制御部３７によるＴＶ（電源ＯＮ）-ＢＤプレーヤ（電源ＯＮ）状態からの電源回路部ＯＦＦ処理フローについて説明する。なお、図３の電源回路部ＯＦＦ処理フローでは、ＴＶ３の電源がＯＮ状態で、かつ、ＢＤプレーヤ２の電源がＯＮ状態から開始される電源回路部ＯＦＦ処理フローについて説明する。また、このＴＶ（電源ＯＮ）-ＢＤプレーヤ（電源ＯＮ）状態からの電源回路部ＯＦＦ処理は、一旦終了した後も繰り返し行われる。
【００４１】
まず、ステップＳ１において、リモコンからの待機状態への移行信号を受信したか否かが判断される。ステップＳ１において、リモコンからの待機状態への移行信号を受信した場合には、ステップＳ２に進む。また、リモコンからの待機状態への移行信号を受信しない場合には、ＴＶ（電源ＯＮ）-ＢＤプレーヤ（電源ＯＮ）状態からの電源回路部ＯＦＦ処理を終了する。
【００４２】
ステップＳ２において、ＨＤＭＩケーブル１を介してＢＤプレーヤ２から電力を受給したか否かが判断される。具体的には、５Ｖ電力がＢＤプレーヤ２からポート３７ａに供給されたのを検出することにより、電力をＢＤプレーヤ２から受給したと判断される。ステップＳ２において、ＨＤＭＩケーブル１を介してＢＤプレーヤ２から電力を受給した場合には、ステップＳ３に進む。また、ＨＤＭＩケーブル１を介してＢＤプレーヤ２から電力を受給しない場合には、ＴＶ（電源ＯＮ）-ＢＤプレーヤ（電源ＯＮ）状態からの電源回路部ＯＦＦ処理を終了する。
【００４３】
ステップＳ３において、電源回路部３２を介した制御部３７およびリモコンセンサ３６への電力の受給を停止し、制御部３７およびリモコンセンサ３６は、ＢＤプレーヤ２からＨＤＭＩケーブル１を介して電力を受給する。その後、ＴＶ（電源ＯＮ）-ＢＤプレーヤ（電源ＯＮ）状態からの電源回路部ＯＦＦ処理を終了する。
【００４４】
次に、図４を参照して、本実施形態の映像システム１００におけるＴＶ３の制御部３７によるＴＶ（待機状態）-ＢＤプレーヤ（待機状態）状態からの電源回路部ＯＦＦ処理フローについて説明する。なお、図４のＴＶ（待機状態）-ＢＤプレーヤ（待機状態）状態からの電源回路部ＯＦＦ処理フローでは、図３のＴＶ（電源ＯＮ）-ＢＤプレーヤ（電源ＯＮ）状態からの電源回路部ＯＦＦ処理フローとは異なり、ＴＶ３が待機状態、かつ、ＢＤプレーヤ２が待機状態から開始される電源回路部ＯＦＦ処理フローについて説明する。また、このＴＶ（待機状態）-ＢＤプレーヤ（待機状態）状態からの電源回路部ＯＦＦ処理は、一旦終了した後も繰り返し行われる。
【００４５】
まず、ステップＳ１１において、ＢＤプレーヤ２の電源がＯＮされたことによりＨＤＭＩケーブル１を介してＢＤプレーヤ２から電力を受給したか否かが判断される。具体的には、５Ｖ電力がＢＤプレーヤ２からポート３７ａに供給されたのを検出することにより、電力をＢＤプレーヤ２から受給したと判断される。ステップＳ１１において、ＨＤＭＩケーブル１を介してＢＤプレーヤ２から電力を受給した場合には、ステップＳ１２に進む。また、ＨＤＭＩケーブル１を介してＢＤプレーヤ２から電力を受給しない場合には、ＴＶ（待機状態）-ＢＤプレーヤ（待機状態）状態からの電源回路部ＯＦＦ処理を終了する。
【００４６】
ステップＳ１２において、電源回路部３２を介した制御部３７およびリモコンセンサ３６への電力の受給を停止する。その後、ＴＶ（待機状態）-ＢＤプレーヤ（待機状態）状態からの電源回路部ＯＦＦ処理を終了する。
【００４７】
次に、図５を参照して、本実施形態の映像システム１００におけるＴＶ３の制御部３７による電源回路部ＯＮ処理フローについて説明する。なお、図５の電源回路部ＯＦＦ処理フローでは、ＴＶ３が待機状態、かつ、ＢＤプレーヤ２が電源ＯＮの状態から開始される電源回路部ＯＮ処理フローについて説明する。また、この電源回路部ＯＮ処理は、一旦終了した後も繰り返し行われる。
【００４８】
まず、ステップＳ２１において、リモコンからの電源ＯＮ信号を受信したか否かが判断される。ステップＳ２１において、リモコンからの電源ＯＮ信号を受信した場合には、ステップＳ２３に進む。また、リモコンからの電源ＯＮ信号を受信しない場合には、ステップＳ２２に進む。
【００４９】
ステップＳ２２において、ＨＤＭＩケーブル１を介したＢＤプレーヤ２からの電力の受給が停止された否かが判断される。具体的には、ＢＤプレーヤ２からポート３７ａに供給されていた５Ｖ電力が検出されなくなることにより、ＢＤプレーヤ２から電力の受給を停止したと判断される。ステップＳ２２において、ＨＤＭＩケーブル１を介したＢＤプレーヤ２から制御部３７およびリモコンセンサ３６が電力の受給を停止した場合には、ステップＳ２３に進む。この際、ＢＤプレーヤ２からの制御部３７およびリモコンセンサ３６への直流電力の受給を停止した後、交流電源からＡＣ−ＤＣコンバータ３２ａを介して制御部３７およびリモコンセンサ３６が受給する直流電力の受給が再開される間は、電解コンデンサ３４に蓄積された電力により動作が継続される。また、ＨＤＭＩケーブル１を介したＢＤプレーヤ２からの電力の受給が停止されない場合には、電源回路部ＯＦＦ処理を終了する。
【００５０】
ステップＳ２３において、電源回路部３２を介して制御部３７およびリモコンセンサ３６に電力の供給が再開される。その後、電源回路部ＯＮ処理を終了する。
【００５１】
本実施形態では、上記のように、待機状態である場合に、接続部３１を介してＢＤプレーヤ２から直流電力を受給している場合には、交流電源からＡＣ−ＤＣコンバータ３２ａを介して制御部３７が受給する直流電力の受給を停止する制御を行うようにＴＶ３の制御部３７を構成する。これにより、ＴＶ３が待機状態である場合において、制御部３７が接続部３１を介してＢＤプレーヤ２から直流電力を受給している場合には、交流電源から制御部３７が受給する電力を停止してＡＣ−ＤＣコンバータ３２ａにおける電力変換損失分だけ電力消費を減少させることができる。これにより、ＴＶ３が待機状態である場合も、ＴＶ３の制御部３７の全ての機能が停止してしまうのを防止しながら、映像システム１００の省電力化を図ることができる。その結果、制御部３７による時計機能を維持させたまま省電力化を図ることができる。
【００５２】
本実施形態では、上記のように、待機状態である場合に、ＢＤプレーヤ２からの直流電力の受給が停止された際には、交流電源からＡＣ−ＤＣコンバータ３２ａを介して制御部３７が受給する直流電力の受給を再開する制御を行うように制御部３７を構成する。これにより、ＢＤプレーヤ２からの直流電力の受給が停止された際にも、制御部３７が交流電源からＡＣ−ＤＣコンバータ３２ａを介して直流電力を受給することができるので、制御部３７の全ての機能が停止してしまうのを確実に防止することができる。
【００５３】
本実施形態では、上記のように、接続部３１を介してＢＤプレーヤ２から受給した直流電力を蓄電可能な電解コンデンサ３４をさらに設けるとともに、待機状態である場合に、ＢＤプレーヤ２からの直流電力の受給が停止された後、交流電源からＡＣ−ＤＣコンバータ３２ａを介して制御部３７が受給する直流電力の受給を再開するまでの間に、電解コンデンサ３４に蓄積された電力により動作が継続されるように制御部３７を構成する。これにより、待機状態である場合に、ＢＤプレーヤ２からの直流電力の受給が停止した後、交流電源からＡＣ−ＤＣコンバータ３２ａを介して制御部３７が受給する直流電力の受給を再開するまでにタイムラグが生じる場合でも、電解コンデンサ３４の電力を用いて制御部３７が電力受給するのを維持することができる。
【００５４】
本実施形態では、上記のように、交流電源とＡＣ−ＤＣコンバータ３２ａとの間に設けられ、交流電源からＡＣ−ＤＣコンバータ３２ａを介して制御部３７が受給する直流電力の受給経路の遮断または接続を切り替えるスイッチ３３をさらに設けるとともに、ＢＤプレーヤ２からの直流電力を受給している場合には、交流電源からＡＣ−ＤＣコンバータ３２ａを介して制御部３７が受給する直流電力の受給経路を遮断するようにスイッチ３３を切り替える制御を行うように制御部３７を構成する。これにより、容易に、スイッチ３３により、ＢＤプレーヤ２からの直流電力の受給と、交流電源からの電力の受給とを切り替えることができる。
【００５５】
本実施形態では、上記のように、交流電源からＡＣ−ＤＣコンバータ３２ａを介して電力を受給するとともに、リモコンからの信号を受信可能なリモコンセンサ３６をさらに設け、待機状態である場合に、接続部３１を介してＢＤプレーヤ２からリモコンセンサ３６が直流電力を受給している場合には、交流電源からＡＣ−ＤＣコンバータ３２ａを介してリモコンセンサ３６が受給する直流電力の受給を停止する制御を行うように制御部３７を構成する。これにより、待機状態である場合において、制御部３７のみならずリモコンセンサ３６もＢＤプレーヤ２から直流電力を受給することができるので、待機状態における制御部３７およびリモコンセンサ３６が電力受給するのを確保しながら、ＡＣ−ＤＣコンバータ３２ａにおける電力変換損失分だけ電力消費を減少させて省電力化を図ることができる。
【００５６】
本実施形態では、上記のように、交流電源と制御部３７との間に設けられ、電圧を変圧するＤＣ−ＤＣコンバータ３２ｂをさらに設けるとともに、待機状態である場合に、接続部３１を介してＢＤプレーヤ２から直流電力を受給している場合には、交流電源からＤＣ−ＤＣコンバータ３２ｂを介して制御部３７が受給する直流電力の受給を停止する制御を行うように制御部３７を構成する。これにより、待機状態である場合において、制御部３７が接続部３１を介してＢＤプレーヤ２から直流電力を受給している場合に、ＤＣ−ＤＣコンバータ３２ｂにおける電力変換損失分だけ容易に、省電力化を図ることができる。
【００５７】
本実施形態では、上記のように、音声データ、映像データ、制御信号および電力を伝送可能なＨＤＭＩケーブル１により接続して、制御信号により機器間で相互に制御することが可能なＨＤＭＩ規格に準拠するように、ＢＤプレーヤ２に接続可能な接続部３１を構成する。これにより、制御信号により機器間で相互に制御することが可能なＨＤＭＩ規格に準拠する接続部３１に音声データ、映像データ、制御信号および電力を伝送可能なＨＤＭＩケーブル１を接続するだけで、容易に、ＢＤプレーヤ２から直流電力を制御部３７が受給することができる。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
上記実施形態では、ＢＤプレーヤ（録画装置）と、ＴＶ（表示装置）とにより本発明の映像システムを構成した例を示したが、本発明はこれに限られない。本発明では、ＢＤプレーヤ以外の録画装置およびＴＶ以外の表示装置により本発明の映像システムを構成してもよい。
【００６０】
上記実施形態では、本発明の電子機器の一例としてＴＶを適用する例を示したが、本発明はこれに限られない。本発明では、ＴＶ以外の電子機器に本発明を適用してもよい。たとえば、ＡＶ（Ａｕｄｉｏ  Ｖｉｓｕａｌ）アンプ等に本発明を適用してもよい。
【００６１】
上記実施形態では、本発明の録画装置としてのＢＤプレーヤに、本発明の表示装置としてのＴＶを１台接続した例を示したが、本発明はこれに限られない。本発明では、２台以上の表示装置が接続可能な録画装置であれば、２台以上の表示装置を録画装置に接続してもよい。これにより、複数台の本発明の表示装置を含む映像システムにおいて、待機状態でも、複数台の表示装置の制御部の全ての機能が停止してしまうのを防止しながら、より効果的に、省電力化を図ることができる。
【００６２】
上記実施形態では、本発明の蓄電部を、電解コンデンサによりを構成する例を示したが、本発明はこれに限られない。本発明では、蓄電部を電解コンデンサ以外の、たとえば、直流電力を蓄電可能な２次電池等により構成してもよい。
【００６３】
上記実施形態では、本発明の交流−直流変換部としてのＡＣ−ＤＣコンバータおよび本発明の変圧部としてのＤＣ−ＤＣコンバータの両方を含む電源回路部を設けた例を示したが、本発明はこれに限られない。本発明では、交流−直流変換部および変圧部の両方を含む電源回路部に替えて、交流−直流変換部および変圧部を互いに別個に設けてもよい。
【００６４】
上記実施形態では、本発明の音声データ、映像データ、制御信号および電力を伝送可能な所定のケーブルの一例としてＨＤＭＩケーブルを適用した例を示したが、本発明はこれに限られない。本発明では、電力を伝送可能なケーブルであれば、ＨＤＭＩケーブル以外のケーブルを適用してもよい。
【００６５】
上記実施形態では、待機状態において、本発明の信号受信部としてのリモコンセンサが、本発明の録画装置としてのＢＤプレーヤから直流電力を受給しない場合には、本発明の交流−直流変換部としてのＡＣ−ＤＣコンバータを介してリモコンセンサが電力を受給する例を示したが、本発明はこれに限られない。本発明では、待機状態において、信号受信部が録画装置から直流電力を受給している場合にも、信号受信部が交流−直流変換部を介して電力を受給してもよい。
【００６６】
上記実施形態では、説明の便宜上、制御部の処理動作をスタート時はイベント駆動的に記載し、スタート以降の処理動作はフロー駆動的に記載したフローチャートを用いて説明したが、本発明はこれに限られない。制御部の処理動作を完全なイベント駆動型で行ってもよいし、完全なフロー駆動型で行ってもよいし、並行処理的に行ってもよい。
【符号の説明】
【００６７】
１  ＨＤＭＩケーブル（所定のケーブル）
２  ＢＤプレーヤ（外部機器、録画装置）
３  ＴＶ（電子機器、表示装置）
２１  接続部（第１接続部）
３１  接続部（第２接続部）
３２ａ  ＡＣ−ＤＣコンバータ（交流−直流変換部）
３２ｂ  ＤＣ−ＤＣコンバータ（変圧部）
３３  スイッチ（切替スイッチ）
３４  電解コンデンサ（蓄電部）
３６  リモコンセンサ（信号受信部）
３７  制御部
１００  映像システム
【図１】
2014021598.tif 000003
【図２】
2014021598.tif 000004
【図３】
2014021598.tif 000005
【図４】
2014021598.tif 000006
【図５】
2014021598.tif 000007